(57)【特許請求の範囲】
【請求項１】
被加熱物を加熱する加熱手段を有する調理器本体と、
前記調理器本体の上部手前側に設けられた表示部と、
前記調理器本体の上部奥側に設けられた排気口あるいは蒸気口と、
前記調理器本体の前面部、左右の側面部及び後部に検知方向が異なるように設けられた複数の人感センサーと、
前記調理器本体の前面部及び左右の側面部の人感センサーで人体を検知したときに、前記表示部を点灯すると共に、当該人感センサー側から前記表示部の表示情報を正視できるように当該表示情報の向きを回転させる制御部と
を備え、
前記制御部は、前記調理器の後部の人感センサーで前記排気口側あるいは前記蒸気口側に人体を検知したときに、当該人体に注意を促すことを特徴とする加熱調理器。
【請求項２】
前記制御部は、前記調理器の後部の人感センサーで前記排気口側あるいは前記蒸気口側に人体を検知したときに、前記表示部を点灯すると共に、当該人感センサー側から前記表示部に当該人体に注意を促す表示情報を正視できるように当該表示情報の向きを回転させることを特徴とする請求項１に記載の加熱調理器。
【請求項３】
前記制御部は、前記表示部の表示情報を９０度の整数倍の角度で向きを回転させることを特徴とする請求項１又は２記載の加熱調理器。
【請求項４】
前記制御部は、前記調理器の後部の人感センサーで前記排気口側あるいは前記蒸気口側に人体を検知したときに、前記表示部の表示情報を消して消灯することを特徴とする請求項１又は請求項１に従属する請求項３に記載の加熱調理器。
【請求項５】
前記制御部は、前記調理器の後部の人感センサーで前記排気口側あるいは前記蒸気口側に人体を検知したときに、前記表示部あるいは音声で注意を報知することを特徴とする請求項１〜３の何れか１項に記載の加熱調理器。
【請求項６】
前記加熱手段の加熱動作を停止させる停止スイッチを有する操作部を備え、
前記停止スイッチは、前記表示情報の向きに関係なく一定の位置に配置されていることを特徴とする請求項１〜５の何れか１項に記載の加熱調理器。
【請求項７】
前記表示部は、前記表示情報の他に操作部を表示し、
前記制御部は、前記人感センサーにより人体を検知したときに、当該人感センサー側から前記表示部の表示情報及び前記操作部を正視できるように前記表示情報及び前記操作部の向きを回転させることを特徴とする請求項１〜５の何れか１項に記載の加熱調理器。
【請求項８】
前記制御部は、前記表示部が消灯しているときに、前記人感センサーにより人体を検知したときには、前記表示部の消灯状態から点灯するまでの時間を、人体を検知した人感センサーによって異ならせることを特徴とする請求項１〜７の何れか１項に記載の加熱調理器。
【請求項９】
前記表示部は、縦と横の長さが異なる長方形状に形成され
前記制御部は、人体を検知した人感センサー側から正視できるように、前記表示部の表示画素の向きを制御すると共に、表示に用いる画素を特定して表示情報を生成し表示することを特徴とする請求項１〜８の何れか１項に記載の加熱調理器。
【請求項１０】
前記人感センサーは、前記調理器本体の複数箇所に設置されていることを特徴とする請求項１〜９の何れか１項に記載の加熱調理器。
【請求項１１】
前記制御部は、複数の人体を検知したときには、予め設定された優先順位の高い方向に、表示の向きを回転させることを特徴とする請求項１〜１０の何れか１項に記載の加熱調理器。
【請求項１２】
前記調理器本体の上部に開閉自在に設けられた蓋体と、前記蓋体の開閉を検出する蓋開閉センサーとを備え、
前記制御部は、前記蓋開閉センサーにより蓋体の開放を検出したときには、前記人感センサーでの人体検知を行わないようにすることを特徴とする請求項１〜１１の何れか１項に記載の加熱調理器。
【請求項１３】
前記制御部は、前記表示部の表示情報の向きに応じて、前記操作部の配置を変化させることを特徴とする請求項６若しくは７又は請求項６若しくは７に従属する請求項８〜１２の何れか１項に記載の加熱調理器。
【発明の詳細な説明】
【技術分野】
【０００１】
本発明は、人感センサーを備えた加熱調理器に関するものである。
【背景技術】
【０００２】
従来の加熱調理器として、人感センサーによって加熱調理器の付近に人間が存在するか否かを検知し、その状態に応じて加熱コイルの火力を制御するＩＨクッキングヒータがある（例えば、特許文献１参照）。
【先行技術文献】
【特許文献】
【０００３】
【特許文献１】特開２００４−１７１８２２号公報
【発明の概要】
【発明が解決しようとする課題】
【０００４】
ところで、加熱調理器である炊飯器においては、蓋体の上部に設けられた人感センサー（モーションセンサー）によって、使用者が近づいたことを検知したときに表示部を点灯させて、操作可能にするものがある。前述の炊飯器、ＩＨクッキングヒータ等は、操作部や表示部の表示に方向性があり、例えばカウンターキッチンの上に置いた炊飯器に横から近づいて操作しようとすると、操作部と表示部の両方とも前方を向いており使い勝手が良くなかった。
【０００５】
本発明は、前述のような課題を解決するためになされたもので、設置場所や使用者が操作する方向が限定されることのない、また操作のし易い加熱調理器を提供することを目的とする。
【課題を解決するための手段】
【０００６】
本発明に係る加熱調理器は、被加熱物を加熱する加熱手段を有する調理器本体と、調理器本体の上部手前側に設けられた表示部と、調理器本体の上部奥側に設けられた排気口あるいは蒸気口と、調理器本体の前面部、左右の側面部及び後部に検知方向が異なるように設けられた複数の人感センサーと、調理器本体の前面部及び左右の側面部の人感センサーで人体を検知したときに、表示部を点灯すると共に、当該人感センサー側から表示部の表示情報を正視できるように当該表示情報の向きを回転させる制御部とを備え、制御部は、調理器の後部の人感センサーで排気口側あるいは蒸気口側に人体を検知したときに、当該人体に注意を促すものである。
【発明の効果】
【０００７】
本発明によれば、人感センサーで人体を検知したときに、表示部を点灯すると共に、人感センサーが検知した方向から表示部の表示情報を正視できるように表示情報の向きを回転させるようにしている。この構成により、加熱調理器の設置場所や使用者が操作する方向が限定されることがない。このため、どの方向からでも表示情報を目視し易くなると共に、操作がし易くなり、使い勝手のよい加熱調理器を提供できる。
【図面の簡単な説明】
【０００８】
【図１】本発明の実施の形態１に係る炊飯器の上面図。
【図２】図１に示す炊飯器の正面図。
【図３】図１に示す炊飯器の縦断面図。
【図４】本発明の実施の形態１に係る炊飯器のブロック図。
【図５】図１の炊飯器において、表示部の表示情報の向きを炊飯器の右側から正視できるように回転させたときの表示例を示す上面図。
【図６】図１の炊飯器において、表示部に高温注意を表示した状態を示す上面図。
【図７】本発明の実施の形態２に係る炊飯器の上面図。
【図８】図７の炊飯器において、表示部の表示情報と操作部の向きを回転させたときの表示例を示す上面図。
【図９】本発明の実施の形態３に係る炊飯器の上面図。
【図１０】図９に示す炊飯器の正面図。
【発明を実施するための形態】
【０００９】
以下、本発明の加熱調理器である炊飯器の実施の形態について図面を用いて説明する。
実施の形態１．
図１は本発明の実施の形態１に係る炊飯器の上面図、図２は図１に示す炊飯器の正面図、図３は図１に示す炊飯器の縦断面図である。
実施の形態１における炊飯器の調理器本体１は、図１及び図２に示すように、箱形状に形成され、本体１ａの上部に蓋体２が開閉自在に設けられている。この蓋体２の手前側の上面部には、表示窓３が設けられ、炊飯に必要な複数のスイッチを有する操作部４が表示窓３の両側に配置されている。表示窓３は、図３に示すように、表示部である液晶表示部３ａの画面の上方に配置されている。操作部４の各スイッチには、例えば外部被膜を押したときに、その箇所の電極が接触してＯＮするタッチスイッチが用いられている。
【００１０】
また、蓋体２の奧側には、炊飯時に蒸気を排出する蒸気口５が設けられている。本体１ａの前面部には、蓋体２を開閉する蓋係止ボタン６が取り付けられている。前述の操作部４は、炊飯を開始する炊飯スイッチ４ａ、炊飯動作（加熱動作）を停止させる停止スイッチの機能を有する切・保温スイッチ４ｂ、炊飯メニューを設定するメニュースイッチ４ｃ、炊飯の予約を設定する予約スイッチ４ｄ等、炊飯に必要なスイッチを備えている。切・保温スイッチ４ｂは、後述する表示情報の向きに関係なく固定された位置に配置されている。これは、緊急時に炊飯動作を停止させる際に迷わないようにするためである。なお、切・保温スイッチ４ｂをハード式のスイッチで構成してもよい。
【００１１】
実施の形態１における炊飯器には、蓋開閉センサー７が取り付けられている。この蓋開閉センサー７は、蓋体２に設けられたホールＩＣ７ａと、本体１ａにホールＩＣ７ａと対向するように設けられた磁石７ｂとで構成される。蓋体２の前面部、左右の側面部及び後部には、人感センサー８ａ、８ｂ、８ｃ、８ｄが設置されている。人感センサー８ａ、８ｂ、８ｃ、８ｄには、例えば赤外線を照射し、反射する赤外線を受信するモーションセンサーが用いられている。
【００１２】
前述の本体１ａは、図３に示すように、内部に上枠１０ａの開口部、側面放熱板１０ｂ、コイル台１０ｃ等で構成される有底筒状の保護枠１０が設けられている。この保護枠１０には、内釜２０が出し入れ自在に収容される。側面放熱板１０ｂには、外周側面に加熱手段である胴ヒーター１１が巻き付けられている。胴ヒーター１１は、炊飯時、保温時に通電される。コイル台１０ｃは、下面に加熱手段である誘導加熱コイル１２が配設されている。また、コイル台１０ｃの中央部には、内釜２０の底部の温度を検出する温度センサー１３が取り付けられている。誘導加熱コイル１２は、通電により交番磁界を発生し内釜２０を誘導加熱する。温度センサー１３には、例えばサーミスタが使用されている。
【００１３】
本体１ａ内の後部には、誘導加熱コイル１２に高周波電流を供給するインバーター基板１４が設置されている。本体１ａ内の底部には、インバーター基板１４等を冷却する冷却ファン１５が設けられている。
【００１４】
前述の蓋体２は、本体１ａ内の後部に設けられたヒンジ部１６に開閉自在に取り付けられており、液晶表示部３ａ、操作基板３ｂ、カートリッジ１７、内蓋１８、リング形状のパッキン１９等を備えている。この蓋体２は、蓋係止ボタン６が奥へ押された際に、ヒンジ部１６のヒンジバネ１６ａの付勢力により、ヒンジ軸１６ｂを軸として本体１ａの後方へ開放される。
【００１５】
液晶表示部３ａは、炊飯器を正面から見て、画面が縦より横に長い長方形状に形成され、操作基板３ｂは、液晶表示部３ａの下側に配置されている。カートリッジ１７は、蓋体２内に取り外し自在に組み込まれている。このカートリッジ１７は、炊飯時に発生する蒸気を蒸気流入口１７ａから取り入れ、蒸気に含まれるおねばを蓄積して蒸気のみを蒸気口５から外部へ排出し、蒸らし時に、蓄積したおねばを内釜２０内のご飯に還元する。
【００１６】
内蓋１８は、蓋体２の内釜２０と対向する下面に、取り外し自在に装着されている。この内蓋１８には、炊飯時、保温時に通電される蓋ヒーター１８ａ（加熱手段）が設けられている。パッキン１９は、例えばシリコンゴムによりリング形状に形成され、内蓋１８の下面の周縁部に設けられている。
【００１７】
内釜２０は、有底筒状に成型され、開口部の周縁部には外側に折り曲げられた縁部２０ａが設けられている。この内釜２０は、保護枠１０内に収容された際に、上枠１０ａの上端部である釜受け部１０ａａに縁部２０ａが引っ掛かるようになっている。釜受け部１０ａａは、上枠１０ａの開口部の周方向に等間隔に複数設けられている。内釜２０の縁部２０ａが釜受け部１０ａａに引っ掛かることにより、保護枠１０内にて内釜２０そのものが吊り下げられた状態になる。この場合、内釜２０の底部が温度センサー１３を押し下げる。
【００１８】
図４は本発明の実施の形態１に係る炊飯器のブロック図である。
実施の形態１における制御回路３０は、蓋開閉センサー７からの信号の入力により蓋体の閉塞を検知したときに、操作部４からの操作信号に応じて炊飯動作に入る。例えば、予熱工程、炊飯工程、蒸らし工程、保温工程の各工程を、炊飯メニュー、炊飯量等に応じて実行する。
【００１９】
制御回路３０は、予熱工程のときには、インバーター回路１４ａを制御して誘導加熱コイル１２に高周波電流を供給し、炊飯工程のときには、誘導加熱コイル１２に加えて、胴ヒーター１１と蓋ヒーター１８ａとに通電する。制御回路３０は、蒸らし工程のときには、誘導加熱コイル１２、胴ヒーター１１及び蓋ヒーター１８ａへの通電を停止する。その後の保温工程においては、再び胴ヒーター１１と蓋ヒーター１８ａとに通電する。また、制御回路３０は、予熱工程及び炊飯工程の炊飯動作中には、冷却ファン１５を駆動し、インバーター基板１４に実装されたインバーター回路１４ａを冷却すると共に、本体１ａ内を冷却する。
【００２０】
また、制御回路３０は、例えば炊飯開始の前に、人感センサー８ａ、８ｂ、８ｃのうち何れかの人感センサーで人体を検知すると、液晶表示部３ａを点灯して、人体を検知した人感センサー側から液晶表示部３ａの表示情報を正視できるように表示情報の向きを回転させる。また、制御回路３０は、炊飯中に、人感センサー８ｄにより人体を検知したときには、高温注意を液晶表示部３ａに表示して注意を促す。この場合、人感センサー８ｄ側から高温注意を正視できるようにする。なお、注意を促す表示は、通常の表示とは異なることを認識しやすくするため、ネガポジ反転させてもよい。
【００２１】
なお、高温注意の表示に変えて、音声で高温注意を報知するようにしても良い。また、炊飯中に、人感センサー８ｄで人体を検知した場合、液晶表示部３ａの表示情報を消して消灯するようにしても良い。これは、蒸気口５から排出される蒸気によって火傷を負わないようにするためである。
【００２２】
制御回路３０は、例えば、人感センサー８ａ、８ｂ、８ｃから一定時間毎に赤外線を照射しており、照射した赤外線が反射して受信されるまでの時間を計測する。そして、制御回路３０は、その計測時間が設定時間内のときには、操作部４を操作可能な位置、液晶表示部３ａの表示情報を目視できる位置に人体（使用者）が接近しているとして、液晶表示部３ａの表示情報を正視できるように表示情報の向きを回転させる。また、人感センサー８ｄから照射された赤外線が設定時間内に受信されたときには、高温注意の表示を炊飯器の後方から正視できるように表示する。表示情報の回転角度は、９０度の整数倍、つまり、９０度毎あるいは１８０度毎である。
なお、設置環境により壁面を人と誤検出してしまうことがないように、計測時間の変化が全くない場合は、この方向の検知を無効と判断するように構成されている。なお、予め、設置時に、壁面側を使用者が設定し、設定された方向の検知を無効にするようにしてもよい。
【００２３】
例えば、制御回路３０は、人感センサー８ａ側から液晶表示部３ａの表示情報を正視できる状態のときに、人感センサー８ｂ（又は８ｃ）で人体を検知した場合には、人感センサー８ｂ（又は８ｃ）側から液晶表示部３ａの表示情報を正視できるように９０度回転させる。また、人感センサー８ｂ側から液晶表示部３ａの表示情報を正視できる状態のときに、人感センサー８ｃにより人体を検知した場合には、人感センサー８ｃ側から液晶表示部３ａの表示情報を正視できるように１８０度回転させる。
【００２４】
また、制御回路３０は、人感センサー８ａ側から液晶表示部３ａの表示情報を正視できる状態のときに、人感センサー８ｄで人体を検知した場合には、液晶表示部３ａの表示情報を消去し、人感センサー８ｄ側から高温注意の情報を正視できるように表示する。さらに、制御回路３０は、人感センサー８ｂ（又は８ｃ）側から液晶表示部３ａの表示情報を正視できる状態のときに、人感センサー８ｄで人体を検知した場合には、液晶表示部３ａの表示情報を消去し、人感センサー８ｄ側から高温注意の情報を正視できるように表示する。
【００２５】
また、制御回路３０は、液晶表示部３ａが消灯しているときに、人感センサー８ｂ、８ｃの何れかで人体を検知したときには、液晶表示部３ａの消灯状態から点灯するまでの時間を、人感センサー８ａにより検知したときの時間よりも長く設定している。これは、使用者が単に蓋体２の側面を通過する度に、液晶表示部３ａが点灯しないようにするためである。つまり、人体を人感センサー８ａで検知したときに、液晶表示部３ａを瞬時に点灯し、人感センサー８ｂ、８ｃの何れかで人体を検知したときには、人感センサー８ａで検知したときよりも長い設定時間後に点灯する。制御回路３０は、蓋開閉センサー７により蓋体２の開放を検出したときには、人感センサー８ａ、８ｂ、８ｃ、８ｄでの人体検知を行わないようにしている。
【００２６】
ここで、炊飯器の正面から液晶表示部３ａの表示情報を正視できる状態において、表示情報を右側面から正視できるように回転させたときの表示情報について、図１及び図５を用いて説明する。
図５は図１の炊飯器において、表示部の表示情報の向きを炊飯器の右側から正視できるように回転させたときの表示例を示す上面図である。
【００２７】
制御回路３０は、図１に示すように、人感センサー８ａ側から液晶表示部３ａの表示情報を正視できる状態のときに、例えば人感センサー８ｃから照射された赤外線が一定時間内で受信されたときには、人体が調理器本体１の右側の側面部に接近したと判定する。そして、制御回路３０は、人体を検知した人感センサー８ｃ側から正視できるように、液晶表示部３ａの表示画素の向きを制御すると共に、表示に用いる画素を特定して表示情報を画面に表示する。
【００２８】
つまり、制御回路３０は、液晶表示部３ａの画面に図１に示す表示情報を表示しているときに、人感センサー８ｃにより人体を検知した場合、人感センサー８ｃ側から正視できるように、液晶表示部３ａの表示画素の向きを９０度回転させる。この時、制御回路３０は、表示する内容を特定して、例えば「炊飯中」と「３０分後にできあがり」の表示情報を生成し画面に表示する。これは、画面のアスペクト比が異なるために、全ての情報を表示してしまうと、表示が見難くなってしまうことを防止するものであり、使用者が知りたい情報、例えば、動作モード、終了までの目安時間のみを大きな文字で表示している。
【００２９】
次に、炊飯中に、炊飯器の後方に人体が接近したときの高温注意の表示について、図６を用いて説明する。
図６は図１の炊飯器において、表示部に高温注意を表示した状態を示す上面図である。
例えば、制御回路３０は、液晶表示部３ａの表示情報が、図１に示すような状態のときに、人感センサー８ｄにより人体を検知した場合には、液晶表示部３ａの表示情報を消去する。そして、制御回路３０は、人感センサー８ｄ側から高温注意の情報を正視できるように、液晶表示部３ａの表示画素の向きを１８０度回転させると共に、表示に用いる画素を特定して、例えば「炊飯中」と「高温注意」の情報を生成し画面に表示する。
【００３０】
以上のように実施の形態１によれば、人感センサー８ａ、８ｂ、８ｃの何れかで人体を検知したときに、液晶表示部３ａの画面を点灯すると共に、人体を検知した人感センサー側から液晶表示部３ａの表示情報を正視できるように、その表示情報の向きを回転させるようにしている。この構成により、炊飯器の設置場所や使用者が操作する方向が限定されることがない。このため、どの方向からでも表示情報を目視し易くなると共に、操作がし易くなり、使い勝手のよい炊飯器を提供できる。
【００３１】
また、蒸気口５側に人感センサー８ｄで人体を検知したときには、液晶表示部３ａで高温注意を促すようにしている。この構成により、炊飯器の後方から操作部４を操作するようなことがなくなり、また、液晶表示部３ａを覗き込むようなことがなくなるので、蒸気口５から排出される蒸気によって火傷を負うようなことがない。
【００３２】
実施の形態２．
実施の形態１では、人感センサー８ａ、８ｂ、８ｃの何れかで人体を検知したときに、人体を検知した人感センサー側から液晶表示部３ａの表示情報を正視できるようにしたが、表示情報と共に操作部のスイッチも正視できるようにしたものである。
図７は本発明の実施の形態２に係る炊飯器の上面図、図８は図７の炊飯器において、表示部の表示情報と操作部の向きを回転させたときの表示例を示す上面図である。なお、実施の形態２における炊飯器は、表示部及び制御回路を除いて、実施の形態１と同じ構成である。
【００３３】
実施の形態２における炊飯器は、蓋体２の手前側の上面部に例えばタッチパネル式の操作表示部４０（表示部）が設けられている。この操作表示部４０は、炊飯器を正面から見て、縦よりも横に長い長方形状に形成されている。図７においては、操作表示部４０の中央に表示画面４１、表示画面４１の両側に操作画面４２（操作部）として表示されている。表示画面４１には、炊飯中においては、図７に示すような表示情報が表示されている。操作画面４２には、炊飯を開始する炊飯スイッチ４２ａ、炊飯の切りと保温の何れかを選択する切・保温スイッチ４２ｂ、炊飯メニューを設定するメニュースイッチ４２ｃ、炊飯の予約を設定する予約スイッチ４２ｄ等、複数のスイッチが表示されている。これらのスイッチには、静電容量式スイッチが用いられている。
【００３４】
制御回路３０は、炊飯開始の前に、人感センサー８ａ、８ｂ、８ｃのうち何れかの人感センサーで人体を検知したときには、操作表示部４０を点灯して、人体を検知した人感センサー側から表示画面４１の表示情報及び操作画面４２の各スイッチを正視できるように、表示情報及び各スイッチの向きを９０度あるいは１８０度回転させる。制御回路３０は、操作画面４２の向きを回転させる際、表示画面４１の両側に配置されていた操作画面４２が、表示画面４１より手前側に配置されるように、操作表示部４０の画素を制御する。
【００３５】
ここで、表示画面４１及び操作画面４２の向きを炊飯器の正面から９０度回転させたときの表示画面４１及び操作画面４２の向きについて、図７及び図８を用いて説明する。
制御回路３０は、表示画面４１及び操作画面４２を炊飯器の正面から正視できる状態のときに、人感センサー８ｃにより人体を検知した場合、人感センサー８ｃ側から正視できるように、表示画面４１の表示情報の向きを９０度回転させる。この時、制御回路３０は、表示に用いる画素を特定して、表示情報の向きを回転させる前の表示情報と同じ表示情報を生成し表示画面４１に表示する。
【００３６】
また、制御回路３０は、表示画面４１の向きを回転させる際、操作画面４２が人感センサー８ｃ側から正視できるように、表示画面４１の手前側に操作画面４２を表示して、各スイッチの向きを９０度回転させ、各スイッチの配置を変化させる。
【００３７】
次に、図示していないが、高温注意を表示するときの動作について説明する。
制御回路３０は、表示画面４１及び操作画面４２が、図７に示すような状態のときに、人感センサー８ｄにより人体を検知した場合には、表示画面４１の表示情報を消去すると共に、操作画面４２そのものを消去する。そして、制御回路３０は、人感センサー８ｄ側から高温注意の情報を正視できるように、表示画面４１の表示画素の向きを１８０度回転させると共に、表示に用いる画素を特定して、前述のように「炊飯中」と「高温注意」の情報を生成し画面に表示する。
【００３８】
以上のように実施の形態２によれば、人感センサー８ａ、８ｂ、８ｃの何れかで人体を検知したときに、操作表示部４０を点灯すると共に、人体を検知した人感センサー側から表示画面４１の表示情報及び操作画面４２の各スイッチを正視できるように、表示画面４１及び操作画面４２の向きを回転させるようにしている。この構成により、炊飯器の設置場所や使用者が操作する方向が限定されることがない。このため、どの方向からでも表示情報と各スイッチを目視し易くなると共に、操作がし易くなり、使い勝手のよい炊飯器を提供できる。
【００３９】
また、蒸気口５側に人感センサー８ｄで人体を検知したときには、操作表示部４０の表示画面４１のみに高温注意を表示して促すようにしている。この構成により、炊飯器の後方から炊飯器を操作するようなことがなくなり、また、操作表示部４０を覗き込むようなことがなくなるので、蒸気口５から排出される蒸気によって火傷を負うようなことがない。
【００４０】
なお、実施の形態１、２では、蓋体２の後部に人感センサー８ｄを設けたが、その人感センサー８ｄのない炊飯器でも良い。
また、実施の形態１、２では、人感センサー８ａ、８ｂ、８ｃ、８ｄの何れか１つが人体を検知した場合について説明したが、人感センサー８ａ、８ｂ、８ｃ、８ｄのうち２つ以上の人感センサーでそれぞれ人体を検知したときには、予め設定された優先順位の高い方向に、表示の向きを回転させるようにしても良い。
【００４１】
例えば、人感センサー８ａと人感センサー８ｂ（又は８ｃ）とがそれぞれ人体を検知したときには、人感センサー８ａ側から正視できるようにする。また、人感センサー８ａ、８ｂ、８ｃのうち何れか１つあるいは２つの人感センサーと人感センサー８ｄとがそれぞれ人体を検知したときには、人感センサー８ｄ側から高温注意の情報を正視できるようにする。
【００４２】
また、実施の形態１、２では、炊飯器に人感センサーを設けて例示したが、炊飯器に代えて、卓上で使用する誘導加熱調理器に複数の人感センサーを設けて、人体を検知した人感センサー側からトッププレート上の表示部及び操作部を正視できるようにしても良い。
【００４３】
実施の形態３．
実施の形態１、２では、人感センサーを複数個所に設けた例示をしたが、例えば、蓋体２の上面に異なる方向を検出できるような複数の視野を持った人感センサーを１つだけ設けて、このセンサーによって液晶表示部３ａ及び操作部４を制御してもよい。図９は本発明の実施の形態３に係る炊飯器の上面図、図１０は図９に示す炊飯器の正面図である。
本実施の形態が実施の形態１，２と異なる点は、人感センサー８を蓋体２の上面に１つだけ設けている点である。人感センサー８は、内部に複数の視野を持つ素子を備えており、このセンサーひとつで、複数の方向を検知することができる。以上のように実施の形態３によれば、人感センサー８を調理器本体１の各面に配置する必要がなくなるので、部品点数が削減でき、コストダウンが図れる。
【符号の説明】
【００４４】
１  調理器本体、１ａ  本体、２  蓋体、３  表示窓、３ａ  液晶表示部、３ｂ  操作基板、４  操作部、４ａ、４２ａ  炊飯スイッチ、４ｂ、４２ｂ  切・保温スイッチ、４ｃ、４２ｃ  メニュースイッチ、４ｄ、４２ｄ  予約スイッチ、５  蒸気口、６  蓋係止ボタン、７  蓋開閉センサー、７ａ  ホールＩＣ、７ｂ  磁石、８、８ａ、８ｂ、８ｃ、８ｄ  人感センサー、１０  保護枠、１０ａ  上枠、１０ａａ  釜受け部、１０ｂ  側面放熱板、１０ｃ  コイル台、１１  胴ヒーター、１２  誘導加熱コイル、１３  温度センサー、１４  インバーター基板、１４ａ  インバーター回路、１５  冷却ファン、１６  ヒンジ部、１６ａ  ヒンジバネ、１６ｂ  ヒンジ軸、１７  カートリッジ、１７ａ  蒸気流入口、１８  内蓋、１８ａ  蓋ヒーター、１９  パッキン、２０  内釜、２０ａ  縁部、３０  制御回路、４０  操作表示部、４１  表示画面、４２  操作画面。
【図１】
0006452426.tif 000002
【図２】
0006452426.tif 000003
【図３】
0006452426.tif 000004
【図４】
0006452426.tif 000005
【図５】
0006452426.tif 000006
【図６】
0006452426.tif 000007
【図７】
0006452426.tif 000008
【図８】
0006452426.tif 000009
【図９】
0006452426.tif 000010
【図１０】
0006452426.tif 000011